(57)【要約】【課題】同一の放送内容を含むデジタル放送とアナログ放送とを同時に受信してデジタル放送を出力し、当該デジタル放送の受信状態が悪化している期間に前記アナログ放送を出力する放送受信装置で、デジタル放送またはアナログ放送のいずれか一方の放送から他方の放送へ出力を切り替えたことによる聴感上の違和感をさらに低減すること。【解決手段】アナログ放送で使用されているアナログ放送信号の受信強度を検知し、デジタル放送またはアナログ放送のいずれか一方の放送から他方の放送へ出力を切り替える場合、アナログ放送信号の受信強度に基づいて切替え前の放送の音響特性を切替え後の放送用の音響特性へ近付ける制御を行うように放送受信装置を構成する。【選択図】図１
2012004750.tif 000002
【特許請求の範囲】
【請求項１】
同一の放送内容を含むデジタル放送とアナログ放送とを同時に受信して前記デジタル放送を出力し、当該デジタル放送の受信状態が悪化している期間に前記アナログ放送を出力する放送受信装置であって、
前記アナログ放送で使用されているアナログ放送信号の受信強度を検知する検知手段と、
前記デジタル放送または前記アナログ放送のいずれか一方の放送から他方の放送へ出力を切り替える場合、前記検知手段によって検知された前記受信強度に基づいて切替え前の放送の音響特性を切替え後の放送用の音響特性へ近付ける制御を行う音響制御手段と
を備えたことを特徴とする放送受信装置。
【請求項２】
前記音響制御手段は、
前記デジタル放送の出力中に前記検知手段によって検知された前記受信強度が所定の開始閾値以下となった場合、出力している前記デジタル放送の音響特性をアナログ放送用の音響特性へ近付ける制御を開始する
ことを特徴とする請求項１に記載の放送受信装置。
【請求項３】
前記検知手段によって検知された前記受信強度が前記開始閾値よりも低い所定の切替閾値以下となった場合に、前記デジタル放送の出力レベルを低減させつつ前記アナログ放送の出力レベルを増大させることで前記アナログ放送へ漸次的に出力を切り替える出力切替手段
を備え、
前記音響制御手段は、
前記出力切替手段によって前記アナログ放送へ漸次的に出力が切り替えられる期間に、出力しているアナログ放送の音響特性とデジタル放送の音響特性との合成音響特性を前記アナログ放送用の音響特性へ近付けるように、出力しているデジタル放送の音響特性を制御する
ことを特徴とする請求項２に記載の放送受信装置。
【請求項４】
前記出力切替手段は、
前記アナログ放送の出力中に前記検知手段によって検知された前記受信強度が前記切替閾値よりも高くなった場合、前記アナログ放送の出力レベルを低減させつつ前記デジタル放送の出力レベルを増大させることで前記デジタル放送へ漸次的に出力を切り替え、
前記音響制御手段は、
前記出力切替手段によって前記デジタル放送へ漸次的に出力が切り替えられる期間に、出力している前記デジタル放送の音響特性を維持し、前記デジタル放送への出力の切り替えが完了した後に、当該音響特性を前記検知手段によって検知された前記受信強度に応じて変更する
ことを特徴とする請求項３に記載の放送受信装置。
【請求項５】
前記音響制御手段は、
前記検知手段によって検知される前記受信強度の低下期間における当該受信強度の変化に対する前記音響特性の追従性が、当該受信強度の上昇期間における当該受信強度の変化に対する前記音響特性の追従性よりも高くなるように前記デジタル放送の前記音響特性を制御する
ことを特徴とする請求項１〜４のいずれか一つに記載の放送受信装置。
【請求項６】
前記検知手段によって検知される前記受信強度と当該受信強度が検出された場合に前記音響制御手段が設定すべき前記デジタル放送の音響特性とが対応付けられた音響特性情報を記憶した音響特性情報記憶手段
をさらに備え、
前記音響制御手段は、
前記デジタル放送の出力中に前記検知手段によって検知された前記受信強度が前記開始閾値以下であり、且つ、当該デジタル放送の放送信号に関する搬送波対雑音比が予め設定した値よりも高い場合、前記音響特性情報記憶手段に記憶されている前記音響特性情報に基づいて当該デジタル放送の音響特性を設定する
ことを特徴とする請求項１〜５のいずれか一つに記載の放送受信装置。
【請求項７】
前記音響制御手段は、
前記音響特性を前記アナログ放送用の音響特性へ近付ける制御を開始した後、前記検知手段によって検知された前記受信強度が上昇した場合、出力しているデジタル放送の音響特性を前記デジタル放送用の音響特性へ近付ける制御を行う
ことを特徴とする請求項１〜６のいずれか一つに記載の放送受信装置。
【請求項８】
前記音響制御手段は、
前記アナログ放送の出力中に前記検知手段によって検知された前記受信強度が上昇した場合に、出力している前記アナログ放送の音響特性をデジタル放送用の音響特性へ近付ける制御を行う
ことを特徴とする請求項１〜７のいずれか一つに記載の放送受信装置。
【請求項９】
同一の放送内容を含むデジタル放送とアナログ放送とを同時に受信して前記デジタル放送を出力し、当該デジタル放送の受信状態が悪化している期間に前記アナログ放送を出力する放送受信装置による放送受信方法であって、
前記アナログ放送で使用されているアナログ放送信号の受信強度を検知する検知工程と、
前記デジタル放送または前記アナログ放送のいずれか一方の放送から他方の放送へ出力を切り替える場合、前記検知工程によって検知された前記受信強度に基づいて切替え前の放送の音響特性を切替え後の放送用の音響特性へ近付ける制御を行う音響制御工程と
を含むことを特徴とする放送受信方法。
【発明の詳細な説明】
【技術分野】
【０００１】
本発明は、デジタル放送とアナログ放送とを同時に受信する放送受信装置および放送受信方法に関するものであり、特に、デジタル放送またはアナログ放送のいずれか一方の放送から他方の放送へ出力を切り替えたことによる聴感上の違和感をさらに低減可能な放送受信装置および放送受信方法に関する。
【背景技術】
【０００２】
従来、オーディオ放送の一方式として、ＦＭ放送やＡＭ放送で使用されている周波数帯域を用い、同一の放送内容をデジタル放送とアナログ放送とで同時に放送するＩＢＯＣ（In Band On Channel）が知られている。
【０００３】
ところで、デジタル放送で使用されるデジタル放送信号は、アナログ放送で使用されるアナログ放送信号よりも広音域で放送内容を再現できるが、受信電界強度が所定の電界強度を下回った場合、放送内容を正常に再現できなくなる。
【０００４】
一方、アナログ放送信号は、デジタル放送信号ほど広音域で放送内容を再現することはできないが、デジタル放送信号では放送内容を再現できない程度の受信電界強度であっても放送プログラムを再現することができる。
【０００５】
このように、ＩＢＯＣでは、デジタル放送信号により放送内容を再現できなくなった場合であっても、アナログ放送信号により放送内容を再現することができる。このため、ＩＢＯＣによるオーディオ放送を受信する放送受信装置は、デジタル放送を出力中に、デジタル放送の受信状態が悪化した場合に、アナログ放送へ出力を切り替え、デジタル放送の受信状態が回復した場合に、デジタル放送へ出力を切り替えていた。
【０００６】
ただし、ＩＢＯＣによるオーディオ放送を受信する放送受信装置は、デジタル放送またはアナログ放送のいずれか一方の放送から他方の放送へ出力を切り替えた場合、切り替えの前後で出力する音域に差が生じるためユーザへ聴感上の違和感を与えることがある。
【０００７】
このため、かかる聴感上の違和感を低減する放送受信装置が考案されている。たとえば、特許文献１には、出力中のデジタル放送の受信状態が劣化し始め、近い将来アナログ放送へ出力が切り替えられると判断した場合、出力中のデジタル放送の音響特性をアナログ放送用の音響特性へ徐々に近付ける放送受信装置が記載されている。
【０００８】
具体的には、特許文献１に記載の放送受信装置は、デジタル放送の受信状態が劣化する程度までデジタル放送信号の受信電界強度が低下した場合に、近い将来デジタル放送からアナログ放送へ出力が切り替えられると判断する。
【０００９】
このように、特許文献１に記載の放送受信装置は、デジタル放送からアナログ放送へ出力を切り替える前に、音響特性をアナログ放送用の音響特性へ近付けておくことでデジタル放送からアナログ放送への出力の切り替えによる聴感上の違和感を低減している。
【先行技術文献】
【特許文献】
【００１０】
【特許文献１】特許第４１０１７１９号公報
【発明の概要】
【発明が解決しようとする課題】
【００１１】
しかしながら、特許文献１に記載の放送受信装置は、音響特性の変更に十分な時間をかけることができないため、デジタル放送またはアナログ放送のいずれか一方の放送から他方の放送へ出力を切り替えたことによる聴感上の違和感を十分に低減することができないという問題があった。
【００１２】
具体的には、デジタル放送の受信状態は、デジタル放送信号の受信電界強度に追従して線形的に劣化するものではなく、受信されたデジタル放送信号のＣ／Ｎ比（Carrier to Noise ratio）が所要Ｃ／Ｎ比以下となった場合に、急激に劣化することが知られている。
【００１３】
このため、特許文献１に記載の放送受信装置では、デジタル放送の受信状態が劣化し始めてからアナログ放送へ出力が切り替えられるまでの非常に短い時間内で音響特性をアナログ放送用の音響特性へ急激に近付けなければならない。
【００１４】
したがって、特許文献１に記載の放送受信装置は、デジタル放送からアナログ放送へ出力を切り替えたことによる聴感上の違和感を十分に低減することができなかった。
【００１５】
かかる問題は、アナログ放送からデジタル放送へ出力を切り替える場合にも同様に生じる問題である。このため、特許文献１に記載の放送受信装置では、アナログ放送からデジタル放送へ出力を切り替える場合にも聴感上の違和感を十分に低減することができない恐れがある。
【００１６】
これらのことから、デジタル放送またはアナログ放送のいずれか一方の放送から他方の放送へ出力を切り替えたことによる聴感上の違和感をさらに低減可能な放送受信装置および放送受信方法をいかにして実現するかが大きな課題となっている。
【００１７】
本発明は、上述した従来技術における問題点を解決するためになされたものであり、デジタル放送またはアナログ放送のいずれか一方の放送から他方の放送へ出力を切り替えたことによる聴感上の違和感をさらに低減可能な放送受信装置および放送受信方法を提供することを目的とする。
【課題を解決するための手段】
【００１８】
上述した課題を解決し、目的を達成するために、本発明に係る放送受信装置は、同一の放送内容を含むデジタル放送とアナログ放送とを同時に受信して前記デジタル放送を出力し、当該デジタル放送の受信状態が悪化している期間に前記アナログ放送を出力する放送受信装置であって、前記アナログ放送で使用されているアナログ放送信号の受信強度を検知する検知手段と、前記デジタル放送または前記アナログ放送のいずれか一方の放送から他方の放送へ出力を切り替える場合、前記検知手段によって検知された前記受信強度に基づいて切替え前の放送の音響特性を切替え後の放送用の音響特性へ近付ける制御を行う音響制御手段とを備えたことを特徴とする。
【発明の効果】
【００１９】
本発明によれば、デジタル放送またはアナログ放送のいずれか一方の放送から他方の放送へ出力を切り替える場合、デジタル放送信号の受信状態の変化に先立って変化するアナログ放送信号の受信強度に基づいて切替え前の放送の音響特性を切替え後の放送用の音響特性へ近付ける制御を行うため、デジタル放送またはアナログ放送のいずれか一方の放送から他方の放送へ出力を切り替えたことによる聴感上の違和感をさらに低減することができるという効果を奏する。
【図面の簡単な説明】
【００２０】
【図１】図１は、本発明に係る放送受信手法および従来における放送受信手法の概要を示す図である。
【図２】図２は、本実施例に係る放送受信装置を示すブロック図である。
【図３】図３は、本実施例に係る放送受信装置が備える音響制御テーブルの一例を示す図である。
【図４】図４は、本実施例に係る放送受信装置による出力切替動作を示す図である。
【図５】図５は、本実施例に係る放送受信装置による出力切替動作を示す図である。
【図６】図６は、本実施例に係る放送受信装置で実行される処理を示すフローチャートである。
【図７】図７は、本実施例に係る放送受信装置がＳレベルの変化に追従させてデジタルＦ特を変更する場合の動作例を示す図である。
【発明を実施するための形態】
【００２１】
以下に添付図面を参照して、本発明に係る放送受信装置および放送受信方法の実施例を詳細に説明する。まず、実施例の詳細な説明に先立って本発明に係る放送受信手法の概要について従来における放送受信手法と対比して説明する。
【００２２】
以下では、ＩＢＯＣ（In Band On Channel）方式で放送される同一の放送内容を含むデジタル放送とアナログ放送とを同時に受信してデジタル放送を出力し、デジタル放送の受信状態が悪化している期間にアナログ放送を出力する受信手法について説明する。
【００２３】
図１は、本発明に係る放送受信手法および従来における放送受信手法の概要を示す図である。ここでは、図１（Ａ）に示すように、デジタル放送の出力中に時刻ｔ４でデジタル放送の受信状態（デジタル放送信号のＣ／Ｎ比：Carrier to Noise ratio）が低下し始め、時刻ｔ５でアナログ放送へ出力を切り替える場合について説明する。
【００２４】
かかる場合、従来における放送受信手法では、図１（Ｂ）に示すように、時刻ｔ４で出力しているデジタル放送の音響特性を示すデジタル放送信号の周波数特性（以下、「デジタルＦ特」という）を低下させる処理を開始する。
【００２５】
そして、従来における放送受信手法では、時刻ｔ４から時刻ｔ５までの間に、デジタルＦ特をアナログ放送の音響特性を示すアナログ放送信号の周波数特性（以下、「アナログＦ特」という）まで低下させた後、アナログ放送へ出力を切り替える。
【００２６】
このように、従来の放送受信手法では、デジタル放送の受信状態が劣化し始めてからアナログ放送へ出力を切り替えるまでに、デジタルＦ特をアナログＦ特まで低下させておくことでアナログ放送へ出力を切り替えた際の聴感上の違和感を低減している。
【００２７】
しかしながら、デジタル放送は、デジタル放送信号のＣ／Ｎ比が所要Ｃ／Ｎ比以下になると受信状態が劣化し始め、その後、非常に短い時間で受信状態が急激に悪化する。このため、従来における放送受信手法では、時刻ｔ４〜ｔ５の非常に短い時間内でデジタルＦ特をアナログＦ特まで低下させる必要がある。
【００２８】
したがって、従来における放送受信手法では、デジタルＦ特をアナログＦ特まで十分な時間をかけて低下させることができないため、アナログ放送へ出力を切り替えた際の聴感上の違和感を十分に低減することができない。
【００２９】
そこで、本発明に係る放送受信手法では、従来の放送受信手法よりも早くデジタルＦ特をアナログＦ特へ近付ける処理を開始することで、アナログ放送へ切り替えた際の聴感上の違和感をさらに低減する。
【００３０】
具体的には、本発明に係る放送受信手法では、デジタル放送の出力中に、アナログ放送の受信状態を示すアナログ放送信号の受信電界強度（以下、「Ｓレベル」という）を監視する。かかるＳレベルは、図１（Ｃ）に示すように、デジタル放送の受信状態が劣化し始める時刻ｔ４よりも前に低下を開始する値である。
【００３１】
このため、本発明に係る放送受信手法では、時刻ｔ１でＳレベルが所定の開始閾値ＴＨａ以下となった場合に、近い将来デジタル放送の受信状態が劣化し始めると判断し、図１（Ｄ）に示すように、時刻ｔ１からデジタルＦ特を低下させる処理を開始する。
【００３２】
続いて、本発明に係る放送受信手法では、時刻ｔ１〜ｔ５の間にデジタルＦ特をアナログＦ特へ漸次的に近付ける処理を行い、図１（Ｅ）に示すように、時刻ｔ５でデジタル放送からアナログ放送へ出力を切り替える。
【００３３】
このように、本発明に係る放送受信手法では、時刻ｔ１〜ｔ５という従来における放送受信手法よりも長い時間をかけてデジタルＦ特をアナログＦ特へ近付けることができる。したがって、本発明に係る放送受信手法によれば、アナログ放送へ出力を切り替えた際の聴感上の違和感を従来における放送受信手法よりもさらに低減することができる。
【００３４】
また、本発明に係る放送受信手法では、図１（Ｃ）に一点鎖線で示すように、時刻ｔ1でデジタルＦ特をアナログＦ特へ近付ける処理を開始した後、時刻ｔ２からＳレベルが上昇した場合、Ｓレベルの上昇に追従してデジタルＦ特を上昇させる処理を行う。
【００３５】
すなわち、本発明に係る放送受信手法では、Ｓレベルが開始閾値ＴＨａ以下となっても、デジタル放送の受信状態が劣化し始める値ＴＨｂまで低下する前に開始閾値ＴＨａよりも高くなった場合、図１（Ｄ）に一点鎖線で示すように、デジタルＦ特をデジタル放送用の周波数特性（Ｆ特）まで上昇させる。
【００３６】
このため、本発明に係る放送受信手法によれば、デジタルＦ特をアナログＦ特へ近付ける処理を開始した後であっても、近い将来アナログ放送へ出力が切り替えられる可能性が低くなった場合には、不必要にデジタルＦ特を低下させることがない。
【００３７】
ところで、本発明に係る放送受信手法では、デジタル放送の出力中に、Ｓレベルが開始閾値ＴＨａよりもさらに低い所定の切替閾値ＴＨｃ以下となった場合、漸次的にアナログ放送へ出力を切り替えるブレンド処理を行う。
【００３８】
そして、本発明に係る放送受信手法では、かかるブレンド処理を行う期間内に、出力中のアナログ放送のアナログＦ特とデジタル放送のデジタルＦ特との合成音響特性を示す周波数特性（合成Ｆ特）がアナログＦ特と等しくなるようにデジタルＦ特を制御する。
【００３９】
一方、本発明に係る放送受信手法では、アナログ放送の出力中に、Ｓレベルが所定の切替閾値ＴＨｃよりも高くなった場合、漸次的にデジタル放送へ出力を切り替えるブレンド処理を行う。
【００４０】
そして、本発明に係る放送受信手法では、かかるブレンド処理を行う期間、デジタルＦ特を維持し、ブレンド期間の終了後にＳレベルの上昇に追従してデジタルＦ特を上昇させることができる。なお、ブレンド処理については、図４および図５を用いて後述する。
【００４１】
また、本発明に係る放送受信手法では、Ｓレベルの変化に対するデジタルＦ特の追従性をＳレベルが上昇中の場合よりも下降中の場合を高くしている。このため、本発明に係る放送受信手法によれば、Ｓレベルが開始閾値ＴＨａ以下となった直後にデジタルＦ特の低下を開始することができる。なお、デジタルＦ特の追従性については、図７を用いて後述する。
【００４２】
また、本発明に係る放送受信手法では、アナログ放送からデジタル放送へ出力を切り替える場合も同様に、アナログ放送信号のＳレベルに基づいてアナログＦ特をデジタルＦ特へ近付ける処理を行う。
【００４３】
すなわち、本発明に係る放送受信手法では、アナログ放送の出力中に、アナログ放送信号のＳレベルが上昇した場合、アナログＦ特をデジタルＦ特へ近付ける処理を行う。このため、本発明に係る放送受信手法によれば、デジタル放送の受信状態が回復を開始する前にアナログＦ特をデジタルＦ特へ近付ける処理を開始することができる。
【００４４】
したがって、本発明に係る放送受信手法によれば、デジタル放送へ出力を切り替えるまでに十分な時間をかけてアナログＦ特をデジタルＦ特へ近付けることで出力を切り替えたことによる聴感上の違和感をさらに低減できる。
【００４５】
上述したように、本発明に係る放送受信手法では、デジタル放送またはアナログ放送のいずれか一方の放送から他方の放送へ出力を切り替える場合、アナログ放送信号のＳレベルに基づいて切替え前の放送の音響特性を切替え後の放送用の音響特性へ近付ける。
【００４６】
そして、アナログのＳレベルは、デジタル放送の受信状態の変化に先立って変化するものである。このため、本発明に係る放送受信手法では、従来における放送受信手法よりも前に、切替え前の放送の音響特性を切替え後の放送用の音響特性へ近付ける制御を開始することができる。
【００４７】
したがって、本発明に係る放送受信手法によれば、従来における放送受信手法よりも長い時間をかけて切替え前の放送の音響特性を切替え後の放送用の音響特性へ近付けることができるため出力の切り替えによる聴感上の違和感をさらに低減することができる。
【００４８】
以下では、図２〜図７を用いて本発明に係る放送受信手法を適用した放送受信装置および放送受信方法についての実施例を説明する。なお、本実施例では、ＩＢＯＣ（In Band On Channel）方式を採用して放送されている放送内容が同一のデジタル放送とアナログ放送とを同時に受信してデジタル放送を出力し、デジタル放送の受信状態が悪化している期間にアナログ放送を出力する放送受信装置について示すこととする。
【実施例】
【００４９】
図２は、本実施例に係る放送受信装置１を示すブロック図である。なお、同図には、本実施例に係る放送受信装置１の特徴を説明するために必要な構成要素のみを示しており、一般的な構成要素についての記載を省略している。
【００５０】
図２に示すように、本実施例に係る放送受信装置１は、チューナ２と、アナログ／デジタル変換器（以下、「ＡＤＣ」という）３と、バンドパスフィルタ（以下、「ＢＰＦ」という）４と、アナログ復調部５と、ローパスフィルタ（以下、「ＬＰＦ」という）６とを備えている。
【００５１】
さらに、放送受信装置１は、ブレンド部７と、周波数特性変更部（以下、「Ｆ特変更部」という）８と、デジタル／アナログ変換器（以下、「ＤＡＣ」という）９と、受信電界強度検知部（以下、「Ｓレベル検知部」という）１０と、デジタル復調部１１とを備えている。
【００５２】
チューナ２は、ＩＢＯＣ方式により所定の周波数帯域内で放送されている放送内容が同一のデジタル放送およびアナログ放送をアンテナ２０によって受信する処理部である。具体的には、チューナ２は、図示しない操作部によって選択された放送チャンネルの周波数帯域で放送されている放送信号をアンテナ２０によって受信する。
【００５３】
そして、チューナ２０は、受信した放送信号からデジタル放送で使用されているデジタル放送信号と、アナログ放送で使用されているアナログ放送信号とを取得し、デジタル放送信号およびアナログ放送信号の周波数を中間周波数へ変換してＡＤＣ３へ出力する。
【００５４】
ＡＤＣ３は、チューナ２から入力されるアナログのデジタル放送信号およびアナログ放送信号をデジタルのデジタル放送信号およびアナログ放送信号へ変換する処理部である。そして、ＡＤＣ３は、変換後のデジタル放送信号をデジタル復調部１１へ出力し、変換後のアナログ放送信号をＢＰＦ４へ出力する。
【００５５】
デジタル復調部１１は、ＡＤＣ３から入力されるデジタル放送信号を復調する処理部である。かかるデジタル復調部１１は、ＯＦＤＭ（Orthogonal Frequency-Division Multiplexing）変調されているデジタル放送信号をＯＦＤＭ復調し、復調後のデジタル放送信号をブレンド部７へ出力する。
【００５６】
また、デジタル復調部１１は、ＯＦＤＭ復調したデジタル放送信号の受信状態を示すＣ／Ｎ比（Carrier to Noise ratio）を算出し、算出結果をブレンド部７およびＦ特変更部８へ出力する。
【００５７】
ＢＰＦ４は、ＡＤＣ３から入力されるアナログ放送信号からアナログ放送で使用されていない高周波成分および低周波成分を除去してＳレベル検知部１０およびアナログ復調部５へ出力する処理部である。
【００５８】
Ｓレベル検知部１０は、ＢＰＦ４から入力されるアナログ放送信号の受信電界強度（以下、「Ｓレベル」という）を検知し、検知結果をブレンド部７およびＦ特変更部８へ出力する処理部である。また、アナログ復調部５は、周波数変調または振幅変調されているアナログ放送信号を復調してＬＰＦ６へ出力する処理部である。
【００５９】
ＬＰＦ７は、アナログ復調部５から入力されるアナログ放送信号から雑音となる高周波成分を除去し、ブレンド部７へ出力する処理部である。ブレンド部７は、デジタル復調部１１から入力されるデジタル放送信号とＬＰＦ６から入力されるアナログ放送信号とを任意の混合比で混合（ブレンド）処理してＦ特変更部８へ出力する処理部である。
【００６０】
たとえば、ブレンド部７は、デジタル放送信号の出力レベルを所定の変数α倍に増幅し、アナログ放送信号の出力レベルを１−α倍に増幅し、増幅後のデジタル放送信号およびアナログ放送信号をブレンド処理してＦ特変更部８へ出力する。ここで、変数αは、０≦α≦１とする。
【００６１】
そして、ブレンド部７は、デジタル放送信号のＣ／Ｎ比が後述の設定Ｃ／Ｎ比より高い場合、すなわち、デジタル放送の受信状態が良好な場合、α＝１と設定することで、デジタル放送信号のみを出力する。
【００６２】
その後、ブレンド部７は、デジタル放送信号のみを出力中に、デジタル放送信号のＣ／Ｎ比が設定Ｃ／Ｎ比以下となってから所定時間が経過した場合、αを１から０まで所定時間をかけて低減させ、アナログ放送へ漸次的に出力を切り替える。
【００６３】
また、ブレンド部７は、アナログ放送信号のみを出力中にＳレベル検知部１０から入力されるＳレベルが上昇し、後述の切替閾値ＴＨｃより高くなった場合、αを０から１まで所定時間をかけて増大させ、デジタル放送へ漸次的に出力を切り替える。
【００６４】
このように、本実施例では、ブレンド部７は、デジタル放送からアナログ放送へ、または、アナログ放送からデジタル放送へ放送受信装置１の出力を切り替える出力切替手段として機能する。
【００６５】
Ｆ特変更部８は、ブレンド部７から入力されるデジタル放送信号およびアナログ放送信号の音響特性を変更してＤＡＣ９へ出力する処理部である。
【００６６】
かかるＦ特変更部８は、たとえば、ＤＳＰ（Digital Signal Processor）により構成しており、デジタル放送信号およびアナログ放送信号の周波数帯域を変更する帯域フィルタと、デジタル放送信号およびアナログ放送信号の音響特性を変更する際に参照する音響制御テーブルとを含んでいる。なお、音響制御テーブルについては、図３を用いて後述する。
【００６７】
ここで、音響特性とは、デジタル放送信号やアナログ放送信号の周波数と出力レベルとの関係を示す周波数特性のことである。以下、デジタル放送信号の音響特性をデジタルＦ特といい、アナログ放送信号の音響特性をアナログＦ特という。そして、Ｆ特変更部８は、帯域フィルタのカットオフ周波数を変更制御することにより、デジタルＦ特やアナログＦ特を変更する。
【００６８】
かかるＦ特変更部８は、デジタル放送信号のみを出力中にＳレベル検知部１０から入力されるＳレベルが後述の開始閾値ＴＨａ以下となった時点で、デジタルＦ特をアナログＦ特へ近付ける処理を開始することで、アナログ放送へ出力を切り替えた際の聴感上の違和感を効果的に低減する。
【００６９】
また、Ｆ特変更部８は、アナログ放送信号のみを出力中にＳレベル検知部１０から入力されるＳレベルが上昇した場合、アナログＦ特をデジタルＦ特へ近付ける処理を行うことでデジタル放送へ出力を切り替えた際の聴感上の違和感を効果的に低減する。
【００７０】
本実施例では、かかるＦ特変更部８が音響制御手段として機能する。なお、Ｆ特変更部８によるデジタルＦ特の変更手順については、図４および図５を用いて放送受信装置１の動作を説明する際に詳述する。
【００７１】
ＤＡＣ９は、Ｆ特変更部８から入力されるデジタルのデジタル放送信号およびアナログ放送信号をアナログのデジタル放送信号およびアナログ放送信号（アナログの音声信号）へ変換して、スピーカ（図示略）へ出力する。
【００７２】
すなわち、放送受信装置１は、ＤＡＣ９がデジタル放送信号を出力している場合に、デジタル放送の音声信号を出力し、アナログ放送信号を出力している場合に、アナログ放送の音声信号を出力する。
【００７３】
次に、図３を用いてＦ特変更部８がデジタルＦ特またはアナログＦ特を変更する場合に参照する音響制御テーブルについて説明する。図３は、本実施例に係る放送受信装置１が備える音響制御テーブルの一例を示す図である。
【００７４】
図３に示すように、音響制御テーブルには、Ｓレベル検知部１０によって検知されるアナログ放送信号のＳレベル毎にＦ特変更部８の帯域フィルタへ設定すべきカットオフ周波数が対応付けられた音響特性情報が記憶されている。
【００７５】
なお、Ｆ特変更部８がデジタルＦ特またはアナログＦ特を変更する場合に参照する情報は、音響テーブルに限定するものではなく、たとえば、アナログ信号のＳレベルと帯域フィルタへ設定すべきカットオフ周波数との対応関係を示す関数であってもよい。
【００７６】
本実施例では、一例として同図に示すように、予めカットオフ周波数の上限値を１５ｋＨｚ、下限値を４ｋＨｚと定めている。なお、ここでは、デジタル放送の音域の上限が１５ｋＨｚ、アナログ放送の音域の上限が４ｋＨｚであるものとする。
【００７７】
そして、同図に示す例では、Ｆ特変更部８がデジタルＦ特の低下を開始すべきＳレベルである開始閾値ＴＨａよりも高いＳレベルに対して１５ｋＨｚのカットオフ周波数を対応付けている。
【００７８】
本実施例では、デジタル放送の受信状態が劣化し始めるときのアナログ放送信号のＳレベル（以下、「劣化開始ＳレベルＴＨｂ」という）を予めシミュレーションまたは統計により算出しておく。そして、かかる劣化開始ＳレベルＴＨｂよりも所定レベル高いＳレベルを開始閾値ＴＨａとしている。
【００７９】
また、ブレンド部７がデジタル放送信号からアナログ放送信号へ出力を切り替えるべきＳレベルである切替閾値ＴＨｃ以下のＳレベルに対して４ｋＨｚのカットオフ周波数を対応付けている。なお、本実施例では、前述の劣化開始Ｓレベルよりも所定レベル低いＳレベルを切替閾値ＴＨｃとしている。
【００８０】
さらに、開始閾値ＴＨａと切替閾値ＴＨｃとの間における各Ｓレベルに対しては、開始閾値ＴＨａに近いＳレベルほど１５ｋＨｚに近いカットオフ周波数を対応付け、切替閾値ＴＨｃに近いＳレベルほど４ｋＨｚに近いカットオフ周波数を対応付けている。
【００８１】
かかる音響制御テーブルを設けた場合、Ｆ特変更部８は、Ｓレベル検知部１０から入力されたＳレベルが開始閾値ＴＨａよりも高い場合、デジタルＦ特を１５ｋＨｚに設定し、Ｓレベルが切替閾値ＴＨｃ以下の場合、デジタルＦ特を４ｋＨｚに設定する。また、Ｆ特変更部８は、Ｓレベルが開始閾値ＴＨａと切替閾値ＴＨｃとの間を推移している場合、検知されたＳレベルの変化に応じたデジタルＦ特を設定する。
【００８２】
また、Ｆ特変更部８は、デジタルＦ特を低下させる処理中に、デジタル復調部１１から入力されるデジタル放送信号のＣ／Ｎ比が予め設定した設定Ｃ／Ｎ比以下となった場合、所定の低下率で所定時間デジタルＦ特値を低下させる。
【００８３】
なお、本実施例では、アナログ放送信号のＳレベルが前述の劣化開始ＳレベルＴＨｂ以下となったときのデジタル放送信号のＣ／Ｎ比を予め算出しておき、かかるＣ／Ｎ比を設定Ｃ／Ｎ比としている。
【００８４】
その後、ブレンド部７は、デジタル放送信号からアナログ放送信号へ出力を切り替えるブレンド処理を開始する。このとき、Ｆ特変更部８は、帯域フィルタのカットオフ周波数が４ｋＨｚまで低下していない場合、ブレンド処理の開始から終了までの所定時間（たとえば、４００ｍｓｅｃ）で帯域フィルタのカットオフ周波数を４ｋＨｚまで低下させる。
【００８５】
次に、図４および図５を用いて放送受信装置１がアナログ放送およびデジタル放送の出力切替を行う場合の動作について説明する。図４および図５は、本実施例に係る放送受信装置１による出力切替動作を示す図である。
【００８６】
以下では、図４を用いて放送受信装置１がデジタル放送からアナログ放送へ出力を切り替える場合の動作について説明した後、図５を用いて放送受信装置１がデジタル放送からアナログ放送へ出力を切り替える場合の動作について説明する。
【００８７】
なお、図４（Ａ）は、Ｓレベル検知部１０によって検知されたアナログ放送信号のＳレベルの推移を示しており、図４（Ｂ）は、Ｆ特変更部８によるデジタルＦ特の変更開始タイミングを示している。
【００８８】
また、図４（Ｃ）は、デジタル復調部１１により算出されたデジタル放送信号のＣ／Ｎ比の変化を示しており、図４（Ｄ）は、Ｆ特変更部８により変更されたデジタルＦ特の推移を示している。
【００８９】
本実施例では、Ｆ特変更部８は、同図（Ｄ）に示すように、デジタル放送信号の出力を１８ｄＢに保つように出力レベルを調整しつつ、帯域フィルタのカットオフ周波数を変更することでデジタルＦ特を変更する。
【００９０】
また、図４（Ｅ）は、Ｆ特変更部８が出力するアナログ放送信号のアナログＦ特を示している。同図（Ｅ）に示すように、本実施例では、Ｆ特変更部８は、アナログＦ特（アナログ放送信号のカットオフ周波数）を常時４ｋＨｚ、出力を１８ｄＢに維持している。
【００９１】
また、図４（Ｆ）は、Ｆ特変更部８により変更されたデジタルＦ特とアナログＦ特とを合成した音響特性（以下、「合成Ｆ特」という）の推移を示している。また、図４（Ｇ）には、ブレンド部７が出力するデジタル放送信号およびアナログ放送信号の各出力レベルの推移を示している。
【００９２】
放送受信装置１では、図４（Ａ）に示すように、デジタル放送の出力中にＳレベル検知部１０により検知されたＳレベルが開始閾値ＴＨａよりも高い場合、Ｆ特変更部８は、図４（Ｄ）に示すように、デジタルＦ特をデジタル放送用のＦ特である１５ｋＨｚに設定する。
【００９３】
そして、放送受信装置１では、デジタル放送の出力中に、図４（Ａ）に示すように、時刻Ｔ１でＳレベルが開始閾値ＴＨａ以下となった場合、Ｆ特変更部８は、図４（Ｂ）に示すように、時刻Ｔ１の時点でデジタルＦ特の変更開始タイミングであると判定する。
【００９４】
そして、Ｆ特変更部８は、時刻Ｔ１の時点でデジタルＦ特の変更開始タイミングであると判定した場合、図４（Ｄ）に示すように、時刻Ｔ１からデジタルＦ特を低下させることでデジタルＦ特をアナログＦ特へ近付ける処理を開始する。
【００９５】
このとき、Ｆ特変更部８は、音響制御テーブルに基づき、Ｓレベル検知部１０によって検知されたＳレベルに対応付けられているカットオフ周波数をＦ特変更部８の帯域フィルタに対して順次設定する。
【００９６】
その後、図４（Ａ）に示すように、Ｓレベル検知部１０により検知されたＳレベルが時刻Ｔ２で劣化開始ＳレベルＴＨｂ以下となり、図４（Ｃ）に示すように、デジタル放送信号のＣ／Ｎ比が予め設定された設定Ｃ／Ｎ比以下となったとする。
【００９７】
このように、デジタル放送信号のＣ／Ｎ比が設定Ｃ／Ｎ比以下となった場合、Ｆ特変更部８は、図４（Ｄ）に示すように、時刻Ｔ２〜Ｔ３までの所定時間、デジタルＦ特を予め定めた一定の低下率で低下させる。
【００９８】
なお、このとき、Ｆ特変更部８がデジタルＦ特を一定の低下率で低下させる時間は、デジタル放送信号のＣ／Ｎ比が設定Ｃ／Ｎ比以下となってからＳレベルが切替閾値ＴＨｃ以下となるまでの時間を予めシミュレーションして算出した時間である。
【００９９】
また、Ｃ／Ｎ比が設定Ｃ／Ｎ比以下となった場合、ブレンド部７は、Ｃ／Ｎ比が設定Ｃ／Ｎ比以下となった時刻Ｔ２から所定時間後の時刻Ｔ３にブレンド開始フラグを反転させるためのタイマをスタートさせる。
【０１００】
その後、ブレンド部７は、時刻Ｔ３でブレンド開始フラグが反転すると、図４（Ｇ）に示すように、デジタル放送信号の出力レベル（デジタルゲイン）を低下させつつアナログ放送信号の出力レベル（アナログゲイン）を上昇させて出力のブレンド処理を開始する。
【０１０１】
このとき、ブレンド部７は、ブレンドの開始した時刻Ｔ３から所定時間（たとえば、４００ｍｓｅｃ）後の時刻Ｔ５にブレンド終了フラグを反転させるためのタイマをスタートさせる。そして、ブレンド部７は、ブレンド終了フラグが反転するまでの間、出力のブレンド処理を継続することでデジタル放送信号からアナログ放送信号へ漸次的に出力を切り替える。
【０１０２】
このように、放送受信装置１は、デジタル放送の出力中に、デジタル放送信号のＣ／Ｎ比が設定Ｃ／Ｎ比以下となる前にアナログ放送信号のＳレベルが所定の開始閾値ＴＨａ以下となった時点で、デジタルＦ特をアナログＦ特へ近付ける処理を開始する。
【０１０３】
すなわち、放送受信装置１は、出力中のデジタル放送の受信状態が劣化し始める前に、デジタルＦ特をアナログＦ特へ近付ける処理を開始することができる。したがって、放送受信装置１は、デジタルＦ特をアナログＦ特へ従来の放送受信手法よりも長い時間をかけて近付けることができるため、アナログ放送へ出力を切り替えた際の聴感上の違和感をさらに低減することができる。
【０１０４】
また、Ｆ特変更部８は、ブレンド部７がデジタル放送信号からアナログ放送信号へ出力を漸次的に切り替えるブレンド処理中に、合成Ｆ特をアナログＦ特へ近付けるようにデジタルＦ特を制御する。たとえば、Ｆ特変更部８は、図４（Ｄ）に示すように、時刻Ｔ３〜Ｔ４の期間にデジタルＦ特を一旦アナログＦ特の４ｋＨｚまで低下させる。
【０１０５】
その後、Ｆ特変更部８は、時刻Ｔ４〜Ｔ５の期間にデジタルＦ特を６ｋＨｚまで上昇させることで、図４（Ｆ）に示すように、合成Ｆ特をアナログＦ特の４ｋＨｚへ近付ける制御を行う。
【０１０６】
次に、図５を用いて放送受信装置１がデジタル放送からアナログ放送へ出力を切り替える場合の動作について説明する。なお、図５に示す時刻Ｔ３〜Ｔ５に対応するＳレベル（Ａ）、デジタルＦ特（Ｂ）、出力（Ｅ）の推移は、図４に示す時刻Ｔ３〜Ｔ５に対応するＳレベル（Ａ）、デジタルＦ特（Ｄ）、出力（Ｇ）の推移と同様である。
【０１０７】
このため、ここでは、時刻Ｔ５以降における放送受信装置１の動作について説明する。図５（Ｂ）に示すように、放送受信装置１では、時刻Ｔ５でデジタル放送からアナログ放送への出力の切り替えが完了すると、Ｆ特変更部８がデジタルＦ特を６ｋＨｚからデジタル放送用のＦ特である１５ｋＨｚまで上昇（回復）させる。
【０１０８】
このとき、図５（Ｅ）に示すように、デジタルゲインは、０パーセントであるため、デジタルＦ特を６ｋＨｚから１５ｋＨｚまで急激に上昇させてもユーザへ聴感上の違和感を与えることはない。
【０１０９】
その後、図５（Ａ）に示すように、Ｓレベル検知部１０により検知されたアナログ放送信号のＳレベルが上昇し、時刻Ｔ６でＳレベルが切替閾値ＴＨｃより高くなると、ブレンド部７では、図５（Ｃ）に示すように、ブレンド開始フラグが反転される。
【０１１０】
このとき、Ｆ特変更部８は、Ｓレベル検知部１０により検知されたアナログ放送信号のＳレベルが上昇を開始した場合、Ｓレベルの上昇に応じてアナログＦ特をデジタルＦ特へ近付ける処理を行う（図示略）。
【０１１１】
そして、ブレンド開始フラグが反転されると、ブレンド部７は、図５（Ｅ）に示すように、時刻Ｔ６〜Ｔ７の期間にアナログゲインを低減しつつデジタルゲインを増大させることで、デジタル放送信号へ出力を漸次的に切り替える。
【０１１２】
なお、ここでは、Ｆ特変更部８は、Ｓレベルが上昇を開始して切替閾値ＴＨｃに達する前に、アナログＦ特をデジタルＦ特へ近付ける処理を開始しているが、Ｓレベルが切替閾値ＴＨｃに達した時点でアナログＦ特をデジタルＦ特へ近付ける処理を開始してもよい。
【０１１３】
このように、アナログ放送からデジタル放送へ出力を切り替える場合に、Ｆ特変更部８がアナログＦ特をデジタルＦ特へ近付ける処理を行うため、アナログ放送からデジタル放送へ出力を切り替えたことによる聴感上の違和感を低減することができる。
【０１１４】
また、放送受信装置１では、アナログ放送からデジタル放送への出力の切り替えを開始する前に、Ｆ特変更部８がデジタルＦ特をデジタル放送用のＦ特まで上昇させているため、ブレンド部７によるブレンド処理とデジタルＦ特の上昇処理とを並行して行うことがない。このため、放送受信装置１によれば、アナログ放送をデジタル放送へ切り替える際の処理量を低減することができる。
【０１１５】
なお、デジタルＦ特は、必ずしもデジタル放送をアナログ放送へ切り替えた直後に上昇させる必要はなく、たとえば、アナログ放送をデジタル放送へ切り替えた後に上昇させてもよい。
【０１１６】
すなわち、Ｆ特変更部８は、図５（Ｂ）に一点鎖線で示すように、時刻Ｔ５でアナログ放送信号へ出力が切り替えられてから時刻Ｔ７でデジタル放送信号へ出力が切り替えられるまで６ｋＨｚのデジタルＦ特を維持し、時刻Ｔ７からデジタルＦ特を上昇させてもよい。
【０１１７】
このようにデジタルＦ特を上昇させても、放送受信装置１は、ブレンド部７によるブレンド処理とデジタルＦ特の低下処理とを並行して行うことがないので、アナログ放送をデジタル放送へ切り替える際の処理量を低減することができる。
【０１１８】
また、Ｆ特変更部８は、図５（Ｂ）に二点鎖線で示すように、時刻Ｔ５〜Ｔ６の期間、６ｋＨｚのデジタルＦ特を維持し、アナログ放送がデジタル放送へ切り替えられるブレンド処理が開始された時点からＳレベルの上昇に応じてデジタルＦ特を上昇させてもよい。
【０１１９】
このようにデジタルＦ特を上昇させた場合、Ｆ特変更部８は、デジタルゲインおよびＳレベルの上昇に追従してデジタルＦ特を上昇させることができるため、アナログ放送をデジタル放送へ切り替えることによる聴感上の違和感を効果的に低減することができる。
【０１２０】
次に、図６を用いて、放送受信装置１で実行される処理について説明する。図６は、本実施例に係る放送受信装置１で実行される処理を示すフローチャートである。
【０１２１】
図６に示すように、放送受信装置１は、電源が投入されると、デジタル放送を出力中であるか否かの判定を行う（ステップＳ１０１）。そして、放送受信装置１は、デジタル放送を出力中であると判定した場合（ステップＳ１０１，Ｙｅｓ）、アナログ放送信号のＳレベルが開始閾値ＴＨａより高いか否かを判定する（ステップＳ１０２）。
【０１２２】
ここで、放送受信装置１は、Ｓレベルが開始閾値ＴＨａよりも高いと判定した場合（ステップＳ１０２，Ｙｅｓ）、デジタルＦ特をデジタル放送用のＦ特に設定し（ステップＳ１０３）、処理を終了する。
【０１２３】
一方、放送受信装置１は、Ｓレベルが開始閾値ＴＨａ以下であると判定した場合（ステップＳ１０２，Ｎｏ）、デジタル放送信号のＣ／Ｎ比が設定Ｃ／Ｎ比より高いか否かを判定する（ステップＳ１０４）。
【０１２４】
ここで、放送受信装置１は、Ｃ／Ｎ比が設定Ｃ／Ｎ比より高いと判定した場合（ステップＳ１０４，Ｙｅｓ）、音響制御テーブルに基づき、アナログ放送信号のＳレベルに対応付けられているデジタルＦ特を設定し（ステップＳ１０５）、処理を終了する。
【０１２５】
一方、放送受信装置１は、Ｃ／Ｎ比が設定Ｃ／Ｎ比以下であると判定した場合（ステップＳ１０４，Ｎｏ）、デジタルＦ特を一定の低下率で所定期間低下させるデジタルＦ特低下処理を行う（ステップＳ１０６）。
【０１２６】
続いて、放送受信装置１は、ブレンド開始フラグが反転したか否かを判定し（ステップＳ１０７）、反転したと判定した場合（ステップＳ１０７，Ｙｅｓ）、デジタル放送からアナログ放送へ出力を切り替えるブレンド処理を行う（ステップＳ１０８）。
【０１２７】
かかるブレンド処理中に、放送受信装置１は、デジタルＦ特とアナログＦ特との合成Ｆ特がアナログＦ特へ近付くようにデジタルＦ特を制御する。そして、放送受信装置１は、ブレンド処理（ステップＳ１０８）が完了した後、デジタルＦ特をデジタル放送用のＦ特まで上昇させて設定し（ステップＳ１０９）、処理を終了する。
【０１２８】
一方、放送受信装置１は、ブレンド開始フラグが反転していないと判定した場合（ステップＳ１０７，Ｎｏ）、ブレンド開始フラグが反転するまでデジタルＦ特低下処理を繰り返し実行する。
【０１２９】
また、放送受信装置１は、ステップＳ１０１において、デジタル放送を出力中でないと判定した場合（ステップＳ１０１，Ｎｏ）、アナログ放送を出力中であるか否かの判定を行う（ステップＳ１１０）。そして、放送受信装置１は、アナログ放送を出力中でないと判定した場合（ステップＳ１１０，Ｎｏ）、処理を終了する。
【０１３０】
一方、放送受信装置１は、アナログ放送を出力中であると判定した場合（ステップＳ１１０，Ｙｅｓ）、ブレンド開始フラグが反転したか否かを判定する（ステップＳ１１１）。ここで、放送受信装置１は、ブレンド開始フラグが反転していないと判定した場合（ステップＳ１１１，Ｎｏ）、処理を終了する。
【０１３１】
一方、放送受信装置１は、ブレンド開始フラグが反転したと判定した場合（ステップＳ１１１，Ｙｅｓ）、アナログ放送からデジタル放送へ出力を切り替えるブレンド処理を行い（ステップＳ１１２）、処理を終了する。そして、放送受信装置１は、電源が投入されている間、図６に示す処理を繰り返し実行する。
【０１３２】
なお、図６では、デジタル放送からアナログ放送へ出力を切り替えた直後に、デジタルＦ特をデジタル放送用のＦ特まで上昇させているが、アナログ放送からデジタル放送へ出力を切り替えるブレンド処理が完了するまでデジタルＦ特を維持（ホールド）してもよい。
【０１３３】
そして、アナログ放送からデジタル放送へ出力を切り替えるブレンド処理が完了した後に、デジタルＦ特をデジタル放送用のＦ特まで上昇させてもよい。
【０１３４】
また、アナログ放送からデジタル放送へ出力を切り替えるブレンド処理が開始されるまでデジタルＦ特を維持し、ブレンド処理が開始された時点からアナログ放送の信号のＳレベルの上昇に追従させてデジタルＦ特をデジタル放送用のＦ特まで上昇させてもよい。
【０１３５】
また、放送受信装置１では、Ｆ特変更部８は、デジタルＦ特を変更する場合、Ｓレベルの上昇期間におけるＳレベルの変化に対するデジタルＦ特の追従性を、Ｓレベルの低下期間におけるＳレベルの変化に対するデジタルＦ特の追従性よりも高くすることができる。
【０１３６】
ここで、図７を用いてＦ特変更部８がアナログ放送信号のＳレベルの変化に追従させてデジタルＦ特を変更する場合の動作例について説明する。
【０１３７】
図７は、本実施例に係る放送受信装置１がＳレベルの変化に追従させてデジタルＦ特を変更する場合の動作例を示す図である。図７では、Ｓレベルの増減幅を±１に換算し、Ｓレベルの変化を一点鎖線で示しており、デジタルＦ特の変化を実線で示している。
【０１３８】
図７に示すように、放送受信装置１のＦ特変更部８は、デジタルＦ特を変更する場合に、アナログ放送信号のＳレベルの変化に対するデジタルＦ特の追従性を、Ｓレベルが上昇中の場合よりもＳレベルが低下中の場合を高くすることができる。すなわち、Ｆ特変更部８は、Ｓレベルが低下中の期間では、Ｓレベルの低下とほぼ同時にデジタルＦ特を低下させる。
【０１３９】
このため、Ｆ特変更部８は、Ｓレベルが開始閾値ＴＨａまで低下した時刻とほぼ同時刻からデジタルＦ特をアナログＦ特へ近付ける処理を開始することで、デジタルＦ特をアナログＦ特へ近付ける処理に十分な時間をかけることができる。これにより、放送受信装置１は、デジタル放送からアナログ放送へ出力を切り替えたことによる聴感上の違和感を効果的に低減することができる。
【０１４０】
一方、Ｆ特変更部８は、Ｓレベルが上昇中の期間では、Ｓレベルが上昇を開始してから上限値に達するまでの時間よりも長い時間をかけてデジタルＦ特をデジタル放送用のＦ特まで、なめらかに上昇させることができる。
【０１４１】
このため、放送受信装置１は、アナログ放送からデジタル放送へ出力を切り替える際の聴感上の違和感を効果的に低減することができる。
【０１４２】
また、本実施例では、Ｆ特変更部８は、デジタル放送信号のＣ／Ｎ比が設定Ｃ／Ｎ比以下となった場合、その後、所定時間一定の低下率でデジタルＦ特を低下させているが、デジタルＦ特の低下方法は、これに限定するものではない。
【０１４３】
たとえば、Ｆ特変更部８は、Ｓレベル検知部１０により検知されたＳレベルが開始閾値ＴＨａ以下となってから切替閾値ＴＨｃ以下となるまで、図３に示した音響制御テーブルに基づき、デジタルＦ特を低下させてもよい。
【０１４４】
かかる構成とする場合、ブレンド部７は、Ｓレベル検知部１０によって検知されたＳレベルが切替閾値ＴＨｃ以下となった場合に、デジタル放送信号からアナログ放送信号へ出力を漸次的に切り替えるブレンド処理を開始する。そして、Ｆ特変更部８は、かかるブレンド処理が終了するまでに、デジタルＦ特をアナログＦ特まで低下させる。
【０１４５】
かかる構成とすれば、Ｆ特変更部８は、デジタルＦ特低下処理を行うためにデジタル放送信号のＣ／Ｎ比を監視する必要がなくなる。これにより、Ｆ特変更部８の処理負荷を低減することができる。
【０１４６】
上述したように、本実施例に係る放送受信装置は、デジタル放送またはアナログ放送のいずれか一方の放送から他方の放送へ出力を切り替える場合、アナログ放送信号のＳレベルに基づいて切替え前の放送の音響特性を切替え後の放送用の音響特性へ近付ける。
【０１４７】
そして、アナログのＳレベルは、デジタル放送の受信状態の変化に先立って変化するものである。このため、本実施例に係る放送受信装置では、従来における放送受信手法よりも前に、切替え前の放送の音響特性を切替え後の放送用の音響特性へ近付ける制御を開始することができる。
【０１４８】
したがって、本実施例に係る放送受信装置によれば、従来における放送受信手法よりも長い時間をかけて切替え前の放送の音響特性を切替え後の放送用の音響特性へ近付けることができるため出力の切り替えによる聴感上の違和感をさらに低減することができる。
【符号の説明】
【０１４９】
１  放送受信装置
２  チューナ
３  ＡＤＣ
４  ＢＰＦ
５  アナログ復調部
６  ＬＰＦ
７  ブレンド部
８  Ｆ特変更部
９  ＤＡＣ
１０  Ｓレベル検知部
１１  デジタル復調部
２０  アンテナ
【図１】
2012004750.tif 000003
【図２】
2012004750.tif 000004
【図３】
2012004750.tif 000005
【図４】
2012004750.tif 000006
【図５】
2012004750.tif 000007
【図６】
2012004750.tif 000008
【図７】
2012004750.tif 000009